【手続補正書】
【提出日】平成24年9月24日(2012.9.24)
【手続補正１】
【補正対象書類名】特許請求の範囲
【補正対象項目名】全文
【補正方法】変更
【補正の内容】
【特許請求の範囲】
【請求項１】
第１辺と、前記第１辺と交差する第２辺と、前記第１辺と対向する第３辺と、前記第２辺と対向する第４辺と、を有する第１基板と、
対向電極を有する第２基板と、
前記第１基板と前記第２基板との間に配置され、前記第１辺、前記第２辺、前記第３辺及び前記第４辺に沿って配置されたシール材と、
を含み、
前記第１基板は、
画像表示領域に配置され、画素電極をそれぞれ有する複数の画素部と、
前記第１辺に沿って配置された複数の接続端子と、
前記第２辺と前記画像表示領域との間に配置され、走査線を介して前記複数の画素部を駆動するための走査線駆動回路と、
前記第１辺と前記画像表示領域との間に配置され、データ線を介して前記複数の画素部に画像信号を供給するデータ線駆動回路と、
前記複数の接続端子のうちの第１接続端子と前記走査線駆動回路を電気的に接続する走査線駆動回路用配線と、
前記複数の接続端子のうちの第２接続端子と前記データ線駆動回路とを電気的に接続するデータ線駆動回路用配線と、
前記対向電極と前記複数の接続端子うちの第３接続端子を電気的に接続する少なくとも１つの上下導通端子と、
前記第３接続端子と前記上下導通端子とを電気的に接続し、前記第２辺に沿って配置される部分を有する対向電極電位線と、
を含み、
前記少なくとも１つの上下導通端子のうちの第１導通端子は、前記画像表示領域の前記第２辺に沿った縁と前記第３辺に沿った縁の交差する第１の位置から、前記第１の位置から前記第２辺に向かう方向と、前記第１の位置から前記第３辺に向かう方向との間の方向に配置され、
前記少なくとも１つの上下導通端子は、前記画像表示領域の前記第１辺に沿った縁と前記第２辺に沿った縁の交差する第２の位置から、前記第２の位置から前記第１辺に向かう方向と、前記第２の位置から前記第２辺に向かう方向との間の方向には配置されず、
前記走査線駆動回路用配線は、
前記対向電極電位線と前記データ線駆動回路との間で、前記第２辺に沿って配置される第１部分と、
前記第１部分から前記第４辺の方向に配置される第２部分と、
を含み、
前記第１部分は、前記第２基板から前記第１基板に向かう方向から見たとき、前記シール材の前記第２辺に沿って配置される部分と重なることを特徴とする電気光学装置。
【請求項２】
前記走査線駆動回路は、前記シール材の前記第２辺に沿った部分の外縁と前記画像表示領域との間に配置されることを特徴とする請求項１に記載の電気光学装置。
【請求項３】
前記走査線駆動回路用配線は、
前記第１部分に電気的に接続され、前記第４辺の方向に配置される第３部分と、
前記第３部分から前記第３辺の方向に配置される第４部分と、
を含み、
前記第３部分及び前記第４部分は、前記シール材の前記第２辺に沿って配置される部分の内縁と前記画像表示領域との間に位置することを特徴とする請求項１または２に記載の電気光学装置。
【請求項４】
前記データ線駆動回路から出力された駆動信号に基づいて、前記画像信号をデータ線に出力するサンプリング回路と、
前記複数の接続端子のうちの第４接続端子と前記サンプリング回路とを電気的に接続する画像信号線と、
をさらに含み、
前記画像信号線は、
前記第１部分と前記データ線駆動回路との間に前記第２辺に沿って配置され、前記第２基板から前記第１基板に向かう方向から見たとき前記シール材の前記第２辺に沿って配置される部分と重なる第５部分と、
前記第３部分と前記データ線駆動回路との間で、前記第５部分から前記第４辺の方向に配置され、前記第２基板から前記第１基板に向かう方向から見たとき前記シール材の前記第１辺に沿った部分と重なる第６部分と、
を含むことを特徴とする請求項１乃至３のいずれかに記載の電気光学装置。
【請求項５】
前記第２部分は、前記第１辺に沿って配置され、前記複数の接続端子の一部と、前記データ線駆動回路との間に配置されることを特徴とする請求項１乃至４のいずれかに記載の電気光学装置。
【請求項６】
請求項１乃至５のいずれかに記載の電気光学装置を含むことを特徴とする電子機器。
【手続補正２】
【補正対象書類名】明細書
【補正対象項目名】０００６
【補正方法】変更
【補正の内容】
【０００６】
本発明の電気光学装置は、第１辺と、前記第１辺と交差する第２辺と、前記第１辺と対向する第３辺と、前記第２辺と対向する第４辺と、を有する第１基板と、対向電極を有する第２基板と、前記第１基板と前記第２基板との間に配置され、前記第１辺、前記第２辺、前記第３辺及び前記第４辺に沿って配置されたシール材と、を含み、前記第１基板は、画像表示領域に配置され、画素電極をそれぞれ有する複数の画素部と、前記第１辺に沿って配置された複数の接続端子と、前記第２辺と前記画像表示領域との間に配置され、走査線を介して前記複数の画素部を駆動するための走査線駆動回路と、前記第１辺と前記画像表示領域との間に配置され、データ線を介して前記複数の画素部に画像信号を供給するデータ線駆動回路と、前記複数の接続端子のうちの第１接続端子と前記走査線駆動回路を電気的に接続する走査線駆動回路用配線と、前記複数の接続端子のうちの第２接続端子と前記データ線駆動回路とを電気的に接続するデータ線駆動回路用配線と、前記対向電極と前記複数の接続端子うちの第３接続端子を電気的に接続する少なくとも１つの上下導通端子と、前記第３接続端子と前記上下導通端子とを電気的に接続し、前記第２辺に沿って配置される部分を有する対向電極電位線と、を含み、前記少なくとも１つの上下導通端子のうちの第１導通端子は、前記画像表示領域の前記第２辺に沿った縁と前記第３辺に沿った縁の交差する第１の位置から、前記第１の位置から前記第２辺に向かう方向と、前記第１の位置から前記第３辺に向かう方向との間の方向に配置され、前記少なくとも１つの上下導通端子は、前記画像表示領域の前記第１辺に沿った縁と前記第２辺に沿った縁の交差する第２の位置から、前記第２の位置から前記第１辺に向かう方向と、前記第２の位置から前記第２辺に向かう方向との間の方向には配置されず、前記走査線駆動回路用配線は、前記対向電極電位線と前記データ線駆動回路との間で、前記第２辺に沿って配置される第１部分と、前記第１部分から前記第４辺の方向に配置される第２部分と、を含み、前記第１部分は、前記第２基板から前記第１基板に向かう方向から見たとき、前記シール材の前記第２辺に沿って配置される部分と重なることを特徴とする。
上記の本発明に係る電気光学装置は、第１辺と、前記第１辺と交差する第２辺と、前記第１辺と対向する第３辺と、前記第２辺と対向し前記第１辺および前記第３辺と交差する第４辺と、画像表示領域に配列されており、画素電極を夫々有する複数の画素部と、を有する基板と、前記画素電極と対向する対向電極と、前記基板と前記対向電極との間に配置され、前記第１辺、前記第２辺、前記第３辺及び前記第４辺に沿って延設されたシール材と、を含み、前記基板は、前記第１辺に沿って配列された複数の接続端子と、前記第２辺に沿った前記シール材の外縁と前記画像表示領域との間に位置し、走査線を介して前記複数の画素部を駆動するための走査線駆動回路と、前記第１辺と前記画像表示領域との間に配置され、データ線を介して前記複数の画素部に画像信号を供給するデータ線駆動回路と、前記複数の接続端子のうちの第１接続端子と前記走査線駆動回路とを電気的に接続する走査線駆動回路用配線と、前記複数の接続端子のうちの第２接続端子と前記データ線駆動回路とを電気的に接続するデータ線駆動回路用配線と、前記対向電極と電気的に接続された少なくとも１つの上下導通端子と、前記複数の接続端子のうちの第３接続端子と前記上下導通端子とを電気的に接続し、前記第２辺に沿って延在する部分を有する対向電極電位線と、を含み、前記１つの上下導通端子のうち第１上下導通端子は、前記第３辺と、前記画像表示領域の前記第３辺に沿った縁の前記第２辺の方向に延長した延長線と、の間に配置され、前記走査線駆動回路用配線は、前記対向電極電位線と前記データ線駆動回路との間で、前記第２辺に沿って延在する第１部分と、前記第１部分と前記第３辺との間で、前記第１部分から前記第４辺の方向に延在する第２部分と、を含み、前記少なくとも１つの上下導通端子は、前記第１辺と、前記画像表示領域の前記第１辺に沿った縁の前記第２辺の方向に延長した延長線と、の間には配置されていない。